(57)【特許請求の範囲】
【請求項１】
一端に開口部が設けられたランプハウジングと、
前記開口部に嵌め込まれるアウターレンズと、
前記ランプハウジングと前記アウターレンズとにより形成された灯室に設けられるインナーパネルと、を備え、
前記インナーパネルでは、前記アウターレンズを通して見える表面の所定の範囲に複数のパターン領域が並べて形成され、
前記各パターン領域は、複数の区画に分割され、
前記各区画では、同一方向に伸びる線状部が並列して設けられ、
前記各パターン領域は、第１方向に伸びる前記線状部が設けられた前記区画と、前記第１方向とは異なる第２方向に伸びる前記線状部が設けられた前記区画と、を有することを特徴とする車両用灯具。
【請求項２】
前記各パターン領域は、等しい形状でかつ等しい大きさ寸法とされていることを特徴とする請求項１に記載の車両用灯具。
【請求項３】
前記各パターン領域は、四角形であることを特徴とする請求項２に記載の車両用灯具。
【請求項４】
前記各パターン領域は、２つの対角線により４つの前記区画に分割されていることを特徴とする請求項３に記載の車両用灯具。
【請求項５】
前記各パターン領域では、２つの前記区画で前記第１方向に伸びる前記線状部が設けられ、他の２つの前記区画で前記第２方向に伸びる前記線状部が設けられていることを特徴とする請求項４に記載の車両用灯具。
【請求項６】
前記各パターン領域では、１つの前記区画で前記第１方向に伸びる前記線状部が設けられ、他の１つの前記区画で前記第２方向に伸びる前記線状部が設けられ、残りの２つの前記区画で前記第１方向および前記第２方向とは異なる第３方向に伸びる前記線状部が設けられていることを特徴とする請求項４に記載の車両用灯具。
【請求項７】
前記各パターン領域では、１つの前記区画で前記第１方向に伸びる前記線状部が設けられ、他の１つの前記区画で前記第２方向に伸びる前記線状部が設けられ、他の１つの前記区画で前記第１方向および前記第２方向とは異なる第３方向に伸びる前記線状部が設けられ、残りの１つの前記区画で前記第１方向、前記第２方向および前記第３方向とは異なる第４方向に伸びる前記線状部が設けられていることを特徴とする請求項４に記載の車両用灯具。
【請求項８】
前記各パターン領域では、各対角線を挟んで隣接する２つの前記区画における前記線状部の伸びる方向が異なることを特徴とする請求項４から請求項７のいずれか１項に記載の車両用灯具。
【請求項９】
前記各パターン領域は、四角形の一辺を前記インナーパネルにおける前記表面の縁部と平行とし、四角形の他方の辺を前記灯室に設けられる光源の光軸方向と平行としていることを特徴とする請求項３から請求項７のいずれか１項に記載の車両用灯具。
【請求項１０】
前記各パターン領域は、一方の対角線を前記インナーパネルにおける前記表面の縁部と平行とし、他方の対角線を前記灯室に設けられる光源の光軸方向と平行としていることを特徴とする請求項３から請求項７のいずれか１項に記載の車両用灯具。
【発明の詳細な説明】
【技術分野】
【０００１】
本発明は、インナーパネルが設けられた車両用灯具に関する。
【背景技術】
【０００２】
車両に用いられる車両用灯具では、ランプハウジングをアウターレンズで覆うことで灯室を構成し、その灯室に光源を設けて構成されるものがある。
【０００３】
その車両用灯具では、灯室において、光源の周辺に設けられたインナーパネルの表面に、光軸方向に直交する方向に伸びる突起（突条部）を、光軸方向に複数個並べて設けること（例えば、特許文献１参照）が考えられている。このような車両用灯具では、表面に複数の突条部を並列して設けることで、光源から出射されて表面に向かう光を制御したり、光源が点灯されていないときの表面の見栄えを向上させたりすることができる。
【先行技術文献】
【特許文献】
【０００４】
【特許文献１】特開２００４−２２８０２５号公報
【発明の概要】
【発明が解決しようとする課題】
【０００５】
しかしながら、インナーパネルの表面に複数の突条部を並列して設けた場合、裏側に取付構造が設けられている等のようにインナーパネルの肉厚が大きい箇所とその他の箇所との間に見え方の差異、所謂ムラが生じてしまう。このため、車両用灯具では、表面でのムラを考慮して取付構造の位置や設け方等を設定したり、インナーパネルを肉厚差が生じない設計としたりする必要がある。
【０００６】
本発明は、上記の事情に鑑みて為されたもので、肉厚差に拘わらずインナーパネルの表面にムラが生じることを防止できる車両用灯具を提供することを目的とする。
【課題を解決するための手段】
【０００７】
請求項１に記載の車両用灯具は、一端に開口部が設けられたランプハウジングと、前記開口部に嵌め込まれるアウターレンズと、前記ランプハウジングと前記アウターレンズとにより形成された灯室に設けられるインナーパネルと、を備え、前記インナーパネルでは、前記アウターレンズを通して見える表面の所定の範囲に複数のパターン領域が並べて形成され、前記各パターン領域は、複数の区画に分割され、前記各区画では、同一方向に伸びる線状部が並列して設けられ、前記各パターン領域は、第１方向に伸びる前記線状部が設けられた前記区画と、前記第１方向とは異なる第２方向に伸びる前記線状部が設けられた前記区画と、を有することを特徴とする。
【発明の効果】
【０００８】
本発明の車両用灯具によれば、肉厚差に拘わらずインナーパネルの表面にムラが生じることを防止できる。
【図面の簡単な説明】
【０００９】
【図１】本発明に係る車両用灯具の一実施形態に係る実施例の車両用灯具１０を車両５０に搭載した様子を示す説明図である。
【図２】車両用灯具１０を前後方向前側から見た様子を示す説明図である。
【図３】図２と同様に車両用灯具１０を前後方向前側から見た様子であって、アウターレンズ１３を省略して示す説明図である。
【図４】車両用灯具１０のインナーパネル１２を前後方向前側から見た様子を示す説明図である。
【図５】インナーパネル１２を左右方向右側（車両外側）から見た様子を示す説明図である。
【図６】インナーパネル１２を上下方向上側から見た様子を示す説明図である。
【図７】インナーパネル１２の表面２３ａに設ける模様３０（その各パターン領域３２）の構成を示す説明図であり、（ａ）は図６に一点鎖線で示す円の内部を部分的に拡大して示し、（ｂ）は単一のパターン領域３２を抜き出して示す。
【図８】各パターン領域３２における各区画３３の構成を示す説明図である。
【図９】図８とは異なる模様３０Ａにおける各パターン領域３２Ａの各区画３３の構成の一例を示す図８と同様の説明図である。
【図１０】図８および図９とは異なる模様３０Ｂにおける各パターン領域３２Ｂの各区画３３の構成の一例を示す図８と同様の説明図である。
【図１１】インナーパネル１２の表面２３ａに設ける図７とは異なる模様３０Ｃ（その各パターン領域３２Ｃ）の構成を示す説明図であり、（ａ）は図６に一点鎖線で示す円の内部に相当する箇所を部分的に拡大して示し、（ｂ）は単一のパターン領域３２Ｃを抜き出して示す。
【発明を実施するための形態】
【００１０】
以下に、本発明に係る車両用灯具の実施例について図面を参照しつつ説明する。
【実施例１】
【００１１】
本発明に係る車両用灯具の一例としての実施例の車両用灯具１０を、図１から図８を用いて説明する。なお、図７（ａ）では、各パターン領域３２の構成の理解を容易とするために、１つおきの各パターン領域３２にドットを付して示す。また、図７（ｂ）では、各パターン領域３２における各区画３３の構成の理解を容易とするために、単一のパターン領域３２を抜き出して示す。
【００１２】
この車両用灯具１０は、図１に示すように、前方を照射するために自動車等の前照灯として車両５０に搭載される。車両用灯具１０は、車両５０の前端部で対を為して左右両側（１０Ｌ、１０Ｒ）に設けられ、左右対称で互いに略等しい構成とされる。以下では、左右の両車両用灯具１０が左右対称で互いに略等しい構成であることから、右側に設けられた車両用灯具１０Ｒについて説明し、左側の車両用灯具１０Ｌについては省略するものとし、単に車両用灯具１０と記載してその構成を説明する。以下の説明では、取り付けられる車両５０において運転手から見た前後方向（図１等の矢印ＦＢ参照）、左右（水平）方向（矢印ＲＬ参照）および上下（鉛直）方向（矢印ＵＤ参照）を用いる。また、両車両用灯具１０は、車両５０の前端部の左右両側に設けられることから、左右方向に関する記載では、車両用灯具１０（その中心位置）を基準として、車両５０の中心位置側を左右方向で見た車両内側とも言い、車両５０の外方側を左右方向で見た車両外側とも言う。
【００１３】
車両用灯具１０では、図２および図３に示すように、前端が開放されたランプハウジング１１と、その内方に設けたインナーパネル（その一部としてインナーパネル１２（図３参照）を示す）と、ランプハウジング１１の開口部２１（図３参照）を覆うように取り付けたアウターレンズ１３（図２参照）と、により灯室１４が形成される。そのランプハウジング１１は、例えばＰＰ(ポリプロピレン)やＡＢＳ樹脂(アクリロニトリル・ブタジエン・スチレン樹脂)等の樹脂材料のような光の透過を阻む材料で形成しており、一端を開放しかつ他方が閉塞された中空形状を呈する。ランプハウジング１１は、後述する灯具ユニット（照明灯具ユニット１５、ターンランプユニット１６）の取付箇所を構成するとともに、それらの点灯制御のための点灯駆動装置を収容する。
【００１４】
インナーパネル１２は、灯具ユニットおよび後述するクリアランスランプ１７における照明箇所以外の箇所や上述した点灯駆動装置等を隠して車両用灯具１０の意匠性を高める。このインナーパネル１２は、銀蒸着やアルミ蒸着や塗装等を施すことで意匠性をより向上させることができ、本実施例ではアルミ蒸着を施している。そして、インナーパネル１２では、アウターレンズ１３を通して見える面を表面として、後述する模様形成部３１の表面２３ａに本願発明の特徴である模様３０（図７等参照）を設ける。この模様３０（その構成）については後に詳細に説明する。
【００１５】
アウターレンズ１３は、例えば、ＰＣ樹脂(ポリカーボネート樹脂)やメタクリル樹脂等の光透過性の樹脂材料のような光を透過させる部材で形成しており、一端を開放しかつ他方が閉塞された中空形状を呈する。このアウターレンズ１３は、ランプハウジング１１（灯室１４）に収容した灯具ユニット（照明灯具ユニット１５、ターンランプユニット１６）やクリアランスランプ１７からの光の出射を可能としつつそれらを覆う。
【００１６】
この車両用灯具１０では、図３に示すように、灯室１４に、灯具ユニット（光源）としての照明灯具ユニット１５とターンランプユニット１６とが設けられるとともに、それら灯具ユニットを取り囲んでクリアランスランプ（車幅灯）１７が設けられる。その照明灯具ユニット１５は、インナーパネル１２に設けられた照明灯具ユニット１５用の開口から投影レンズ１５ａを覗かせるように、インナーパネル１２等に取り付けられて設けられる。照明灯具ユニット１５は、基本的に光軸Ｌに沿って車両５０の前方を照らすことで、運転手の視認性や外部からの車両５０の認識のし易さを向上させる。この照明灯具ユニット１５は、本実施例では、点灯駆動装置の制御に応じてすれ違い用配光（ロービーム）と走行用配光（ハイビーム）とを切り替え可能である。
【００１７】
ターンランプユニット１６は、灯室１４において、照明灯具ユニット１５の左右方向の車両内側に設けられる。このターンランプユニット１６は、インナーパネル１２に設けられたターンランプユニット１６用の開口からインナーレンズ１６ａを覗かせるように、インナーパネル１２等に取り付けられて設けられる。ターンランプユニット１６では、点灯駆動装置の制御下で点滅されることで、車両５０において設けられた位置に応じた方向指示器（本実施例では前方右側の方向指示器）として機能する。
【００１８】
クリアランスランプ１７は、車両用灯具１０に設けた各灯具ユニットを取り囲みつつアウターレンズ１３の周縁部に沿って伸びるＶ字形状を呈する。このクリアランスランプ１７は、各灯具ユニットすなわち照明灯具ユニット１５およびターンランプユニット１６を取り囲んで伸びる長尺な形状を呈し、その全長に渡って略均一な輝度で光ることで前側における上下方向や左右方向からの視認が可能とされる。これにより、クリアランスランプ１７は、アウターレンズ１３の周縁部に沿って照明灯具ユニット１５およびターンランプユニット１６の回りを取り囲むように光り、車両５０において設けられた位置に応じた車幅灯（本実施例では前方右側の車幅灯）として機能する。
【００１９】
この車両用灯具１０に設けたインナーパネル１２は、図４から図６に示すように、長尺な板状を呈する。インナーパネル１２は、車両用灯具１０の形状に合わせて前後方向に伸びる箇所（前後伸長部２２とする）と（図５、図６参照）、その前端に連続し左右方向に伸びる箇所（左右伸長部２３とする）と、を有する。その左右伸長部２３は、照明灯具ユニット１５を取り囲むように折り返されている（図３等参照）。このインナーパネル１２では、前後伸長部２２においては左右方向の車両外側の面が表面２２ａとなり、左右伸長部２３においては上下方向上側の面および左右方向の車両外側の面（照明灯具ユニット１５側の面）が表面２３ａとなる。インナーパネル１２には、複数の取付部２５とが設けられる。
【００２０】
各取付部２５は、インナーパネル１２をランプハウジング１１等に取り付けるものであり、前後伸長部２２における裏面２２ｂや左右伸長部２３における裏面２３ｂに設けられる。この各取付部２５は、前後伸長部２２の裏面２２ｂでは左右方向の車両内側に突出され、左右伸長部２３の裏面２３ｂでは前後方向後側に突出される。各取付部２５は、他の部材とともにインナーパネル１２が灯室１４に設けられた状態において、視認されない位置および形状とされる（図３参照）。このため、インナーパネル１２では、裏面（２２ｂ、２３ｂ）に各取付部２５が突出して設けられた箇所が、他の箇所と比較して肉厚が大きくなる。
【００２１】
本実施例のインナーパネル１２では、左右伸長部２３の表面２３ａにおいて照明灯具ユニット１５を取り囲む位置を、模様３０（図７等参照）を設ける所定の範囲としての模様形成部３１（図３から図６においてドットを付した箇所）とする。その模様３０は、インナーパネル１２（本実施例ではその左右伸長部２３）において肉厚差があっても、表面（本実施例では表面２３ａ）を視認した際にムラを生じさせなくするものである。すなわち、模様３０は、肉厚差のあるインナーパネル１２（左右伸長部２３）の表面（表面２３ａ）を視認した者にムラを認識させなくする。
【００２２】
この模様３０では、図７（ａ）に示すように、模様形成部３１に複数のパターン領域３２を設定する。その各パターン領域３２は、本実施例では、互いに等しい形状であって、互いに等しい大きさ寸法とされている。各パターン領域３２は、本実施例では、一辺がインナーパネル１２（左右伸長部２３）の前後方向後側の縁部１２ａと平行であり、他辺が照明灯具ユニット１５の光軸Ｌに平行であって、４つの各辺の長さが互いに等しい平行四辺形とする。以下では、縁部１２ａと平行な方向（縁部１２ａが伸びる方向）を縁部方向Ｄｅとし、光軸Ｌに平行な方向（光軸Ｌが伸びる方向）を光軸方向Ｄｌとする。このため、本実施例では、インナーパネル１２（左右伸長部２３）の縁部１２ａと、照明灯具ユニット１５の光軸Ｌと、が直交していない。
【００２３】
その各パターン領域３２は、本実施例では、図７（ｂ）に示すように、２つの対角線ｄｌ１、ｄｌ２により４つの区画３３に分割する。なお、以下では、纏めて述べる際には各区画３３とし、個別に述べる際には第１区画３３１、第２区画３３２、第３区画３３３、第４区画３３４とする。その各区画３３は、三角形状を呈し、単一のパターン領域３２で見ると、全ての区画３３が互いに等しい形状および大きさ寸法となる。本実施例では、各区画３３が、２つの対角線ｄｌ１、ｄｌ２で形成される２つの辺が１．６（ｍｍ）および２．４（ｍｍ）となる大きさ寸法としている。また、単一のパターン領域３２で見ると、対角線ｄｌ１を挟んで第１区画３３１と第２区画３３２とが隣接するとともに第３区画３３３と第４区画３３４とが隣接し、対角線ｄｌ２を挟んで第１区画３３１と第３区画３３３とが隣接するとともに第２区画３３２と第４区画３３４とが隣接する。さらに、図７（ａ）に示すように、光軸方向Ｄｌで隣接する２つのパターン領域３２で見ると、第１区画３３１と第４区画３３４とが、各パターン領域３２の中心位置を頂点とした際の互いの底辺を挟んで隣接する。そして、縁部方向Ｄｅで隣接する２つのパターン領域３２で見ると、第２区画３３２と第３区画３３３とが、各パターン領域３２の中心位置を頂点とした際の互いの底辺を挟んで隣接する。このように、本実施例の模様３０では、縁部方向Ｄｅで見て同一のパターン領域３２が繰り返して設けられるとともに、光軸方向Ｄｌで見て同一のパターン領域３２が繰り返して設けられる。
【００２４】
この模様３０では、図８に示すように、各パターン領域３２において、区画３３毎に（区画３３単位で）伸びる方向が平行な複数の線状部３４が設けられることで形成される。すなわち、模様３０では、少なくとも単一の区画３３内での各線状部３４の伸びる方向が統一されて設けられる。その各線状部３４は、周辺との段差を形成するように設けられ、その段差で伸びる方向に沿う反射面を規定する。各線状部３４は、インナーパネル１２（左右伸長部２３）の表面２３ａを凹ませて形成（所謂溝）してもよく、当該表面２３ａを部分的に突出させて形成（所謂突条）してもよく、当該表面２３ａを部分的に凹ませるとともに他の部分を突出させて形成（溝と突条との組み合わせ）してもよい。この各線状部３４は、本実施例では、一例として、薬品による浸漬（エッジング）で形成している。各線状部３４は、好適な例として深さ寸法を２５（μｍ）から３５（μｍ）とし、本実施例では深さ寸法を３０（μｍ）とする。そして、模様３０では、各パターン領域３２において、少なくとも１つの区画３３に第１方向Ｄ１に伸びる線状部３４（個別に示す際には線状部３４１とする）を形成し、他の少なくとも１つの区画３３に第２方向Ｄ２に伸びる線状部３４（個別に示す際には線状部３４２とする）を形成する。換言すると、模様３０では、各パターン領域３２において、各区画３３に設けられる線状部３４の伸びる方向を２つ以上設定する、すなわち方向の異なる２種類の線状部３４（３４１、３４２）が存在する。
【００２５】
本実施例の各パターン領域３２では、第１方向Ｄ１を対角線ｄｌ２が伸びる方向とし、第２方向Ｄ２を光軸方向Ｄｌとし、第３方向Ｄ３を縁部方向Ｄｅとする。そして、各パターン領域３２では、第１区画３３１に第１方向Ｄ１に伸びる複数の線状部３４１を設け、第２区画３３２に第２方向Ｄ２に伸びる複数の線状部３４２を設け、第３区画３３３に第３方向Ｄ３に伸びる複数の線状部３４（個別に示す際には線状部３４３とする）を設け、第４区画３３４に第１方向Ｄ１に伸びる複数の線状部３４１を設ける。このため、各パターン領域３２では、各区画３３に設ける各線状部３４の伸びる方向が３つ設定される、すなわち方向の異なる３種類の各線状部３４（３４１、３４２、３４３）が設けられる。そして、各パターン領域３２では、対角線ｄｌ１を挟んで隣接する第１区画３３１と第２区画３３２との各線状部３４（３４１、３４２）の伸びる方向が異なるとともに、同じく対角線ｄｌ１を挟んで隣接する第３区画３３３と第４区画３３４との各線状部３４（３４３、３４１）の伸びる方向が異なる。また、各パターン領域３２では、対角線ｄｌ２を挟んで隣接する第１区画３３１と第３区画３３３との各線状部３４（３４１、３４３）の伸びる方向が異なるとともに、同じく対角線ｄｌ２を挟んで隣接する第２区画３３２と第４区画３３４との各線状部３４（３４２、３４１）の伸びる方向が異なる。
【００２６】
この模様３０は、各パターン領域３２を４つの区画３３に分割し、その区画３３単位で設ける線状部３４の伸びる方向を３種類（第１方向Ｄ１、第２方向Ｄ２、第３方向Ｄ３）設定している。このため、模様３０では、均一に光が当たるものとすると、各パターン領域３２における反射させる態様が各線状部３４の伸びる方向に応じた３種類となる。例えば、光軸方向Ｄｌで光を照射し、その照射した側から模様３０を見ると、第３方向Ｄ３に伸びる各線状部３４３が最も明るく、次に明るいのが第１方向Ｄ１に伸びる各線状部３４１となり、最も暗いのが第２方向Ｄ２に伸びる各線状部３４２となる。これは、第３方向Ｄ３が縁部方向Ｄｅであるため照射する光（光軸方向Ｄｌ）に対する角度が最も大きく、第２方向Ｄ２が光軸方向Ｄｌであるため照射する光（光軸方向Ｄｌ）と平行であり、第１方向Ｄ１が対角線ｄｌ２の伸びる方向であるため照射する光（光軸方向Ｄｌ）に対する角度がそれらの中間となることによる。
【００２７】
このように、模様３０では、視認する方向や照射する光の方向の差異に拘わらず、細かく分けられた各パターン領域３２において、各線状部３４の伸びる方向に応じた３種類の態様で明るさ等の見え方を変化させることができる。また、模様３０では、各パターン領域３２の各区画３３において、複数の線状部３４が並列されていることから、その並列方向で見た当該各線状部３４の位置（斜面の向きや山位置（頂点）や谷位置（最下点）等）に応じて明るさ等の見え方を変化させることができる。さらに、模様３０では、照射する光の方向の差異に拘わらず、照射する光を複数の方向（本実施例では主に３つ）に拡散することができ、同一の方向に纏めて反射することを防止することができ、見栄えを向上させることができる。そして、模様３０では、各区画３３に設ける線状部３４の伸びる方向の態様をパターン領域３２毎に互いに等しくするので、視認する方向の差異に拘わらず整列する各パターン領域３２の印象を等しくすることができ、見栄えを向上させることができる。
【００２８】
次に、車両用灯具１０における技術の課題について説明する。なお、この技術の課題は、本願発明の車両用灯具１０であっても模様３０を設けていなければ同様の状況となることから、この車両用灯具１０を用いて説明する。
【００２９】
車両用灯具１０では、インナーパネル１２の表面（表面２３ａ）に、一方向に伸びる突起（突条部）を当該一方向に直交する方向に複数並列させて（所謂縦目ローレット）設けることが考えられている。この車両用灯具１０では、光源としての照明灯具ユニット１５から出射されて表面（表面２３ａ）に向かう光を制御したり、照明灯具ユニット１５が点灯されていないときの表面の見栄えを向上させたりすることができる。ここで、インナーパネル１２では、例えば、取付構造（各取付部２５）が裏面（裏面２３ｂ）から突出して設けられると、その箇所の肉厚が、他の何も設けられていない箇所と比較して大きくなる。そのようなインナーパネル１２の表面に複数の突条部を並列して設けた場合、インナーパネル１２の肉厚が大きい箇所とその他の箇所とでは、その表面の見え方に差異、所謂ムラが生じてしまう。これは以下のことが考えられる。
【００３０】
インナーパネル１２では、樹脂材料から形成されていることから、肉厚差が存在すると成形収縮（その量や態様）に差が生じてしまい、ヒケ等が形成される。そのヒケは、例えば、表面が平面であっても裏面に凹凸がある場合、裏面が凸となる箇所で大きく収縮し当該凸の裏側に位置する表面が凹むことで形成される。ここで、複数の突条部を並列して設けた表面では、並列方向で見た各突条部の位置に応じて明るさ等の見え方が変化するもののその変化は単調であり、かつ各突条部が伸びる一方向では場所に拘わらず明るさ（見え方）に変化は生じない。このため、複数の突条部を並列して設けた表面では、全体で見ると一本調子（単調）で均一な構成とされている。これにより、インナーパネル１２では、裏面に取付構造（各取付部２５）を設ける等により肉厚差が存在すると、肉厚差に起因して生じた表面のヒケ等が見え方を部分的に変化させることで、当該表面における一本調子（単調）で均一な構成を崩すこととなり、ムラとして視認されてしまう。このことは、表面において、複数の突条部を並列して設けることに替えて凹凸を一様に設ける（所謂梨地とする）こととしても同様である。
【００３１】
これに対して、本願発明の車両用灯具１０では、模様形成部３１に複数のパターン領域３２を設け、その各パターン領域３２を４つの区画３３に分割し、その区画３３単位で設ける各線状部３４の伸びる方向を３種類設定して、模様３０を形成している。このため、その模様３０では、細かく分けた各パターン領域３２において、視認する方向や照射される光の方向の差異に拘わらず、各線状部３４の伸びる方向に応じた３種類の態様（３段階）で明るさ等の見え方を変化させることができる。これにより、インナーパネル１２では、肉厚差が存在して表面２３ａにヒケ等が生じた場合であっても、当該ヒケ等による見え方の変化を、各パターン領域３２で３種類の態様（３段階）で明るさ等の見え方が変化している中に紛れさせることができる。このため、車両用灯具１０では、模様３０においてヒケ等による見え方の変化がムラとして視認されることを防止することができ、その模様３０を設けた表面２３ａにムラが生じることを防止することができる。
【００３２】
このように、本発明に係る車両用灯具の一実施例の車両用灯具１０では、模様形成部３１に複数のパターン領域３２を設け、各パターン領域３２を複数（実施例では４つ）の区画３３に分割し、その区画３３単位で設ける各線状部３４の伸びる方向を少なくとも２種類（実施例では３種類）設定して模様３０を形成する。このため、車両用灯具１０では、インナーパネル１２に肉厚差が存在して表面２３ａにヒケ等が生じた場合であっても、当該ヒケ等による見え方の変化を、模様３０の各パターン領域３２において少なくとも２種類（２段階）の態様で見え方が変化している中に紛れさせることができる。これにより、車両用灯具１０では、模様３０においてヒケ等による見え方の変化がムラとして視認されることを防止することができ、その模様３０を設けた表面２３ａにムラが生じることを防止することができる。
【００３３】
また、車両用灯具１０では、インナーパネル１２の表面２３ａに模様３０を設けることで肉厚差に起因するムラが生じることを防止できるので、インナーパネル１２の肉厚差を無くす観点での制限をなくすことができ、裏面２３ｂにおける各取付部２５の位置や設け方等の自由度を高めることができる。これにより、車両用灯具１０では、インナーパネル１２の設計自由度を高めつつ適切に取り付けることができるので、全体の意匠性を向上させることができるとともに、品質を向上させることができる。また、車両用灯具１０では、インナーパネル１２の肉厚差を無くす観点での制限をなくすことで、裏面２３ｂに適宜突起物等を設けることができ、全体の意匠性や品質をより向上させることができる。
【００３４】
さらに、車両用灯具１０では、各パターン領域３２において、複数（実施例では４つ）に分割した各区画３３に設ける各線状部３４の伸びる方向を少なくとも２種類（実施例では３種類）設定することで、各線状部３４の伸びる方向に応じた複数の態様で明るさ等の見え方を変化させる。このため、車両用灯具１０では、模様３０（模様形成部３１）をどのような方向から見た場合であっても、各線状部３４の伸びる方向の種類の数に応じて各パターン領域３２における明るさ等の見え方を変化させることができる。このことから、車両用灯具１０では、模様３０（模様形成部３１）を見る方向の差異に拘わらず、模様３０における各パターン領域３２の印象を等しくすることができ、見栄えを向上させることができる。
【００３５】
車両用灯具１０では、模様３０における各パターン領域３２を等しい形状でかつ等しい大きさ寸法としている。このため、車両用灯具１０では、同一のパターン領域３２を繰り返し設けて模様３０を構成しているので、この模様３０を容易に形成できるとともに、各パターン領域３２の各区画３３における各線状部３４の伸びる方向を容易に設定できる。
【００３６】
車両用灯具１０では、各パターン領域３２を四角形としているので、その各パターン領域３２を整列させることが容易である。このため、車両用灯具１０では、インナーパネル１２の表面（実施例では表面２３ａ）の所定の範囲（実施例では模様形成部３１）を埋めるように模様３０を設けることを容易とすることができる。
【００３７】
車両用灯具１０では、各パターン領域３２を２つの対角線ｄｌ１、ｄｌ２で分割して４つの区画３３を規定している。このため、車両用灯具１０では、各パターン領域３２の中心を挟んで対向する２つの区画３３（第１区画３３１と第４区画３３４、および第２区画３３２と第３区画３３３）を互いに等しい形状で等しい大きさ寸法とすることができる。これにより、車両用灯具１０では、各パターン領域３２における各線状部３４の伸びる方向に応じた見え方に差異が生じる範囲を大略等しくすることができ、各区画３３の配置に拘わらず当該ヒケ等による見え方の変化を効果的に紛れさせることができる。
【００３８】
車両用灯具１０では、各パターン領域３２を４つの各辺の長さが互いに等しい平行四辺形として、それを２つの対角線ｄｌ１、ｄｌ２で分割して４つの区画３３を規定している。このため、車両用灯具１０では、全ての区画３３を互いに等しい形状および大きさ寸法とすることができる。これにより、車両用灯具１０では、各パターン領域３２における各線状部３４の伸びる方向に応じた見え方に差異が生じる範囲を等しくすることができ、各区画３３の配置に拘わらず当該ヒケ等による見え方の変化をより効果的に紛れさせることができる。
【００３９】
車両用灯具１０では、各パターン領域３２において、各区画３３に設ける各線状部３４の伸びる方向を３つ設定している、すなわち方向の異なる３種類の各線状部３４（３４１、３４２、３４３）を設けている。このため、車両用灯具１０では、細かく分けられた各パターン領域３２において、各線状部３４の伸びる方向に応じた３種類の態様（３段階）で明るさ等の見え方を変化させることができる。これにより、車両用灯具１０では、インナーパネル１２に肉厚差が存在して表面２３ａにヒケ等が生じた場合であっても、当該ヒケ等による見え方の変化を、模様３０の各パターン領域３２において３種類（３段階）の態様で見え方が変化している中に紛れさせることができる。このため、車両用灯具１０では、模様３０においてヒケ等による見え方の変化がムラとして視認されることをより確実に防止することができ、当該模様３０（それを設けた表面２３ａ）にムラが生じることをより確実に防止することができる。
【００４０】
車両用灯具１０では、各パターン領域３２において、各対角線ｄｌ１、ｄｌ２を挟んで隣接する両区画３３における各線状部３４の伸びる方向を異なるものとしている。このため、車両用灯具１０では、各パターン領域３２において、全ての区画３３で実質的に隣り合う区画３３との間で各線状部３４の伸びる方向を異ならせることができ、効率良く見え方を変化させることができる。
【００４１】
車両用灯具１０では、各パターン領域３２を、一辺をインナーパネル１２（その左右伸長部２３）の前後方向後側の縁部１２ａ（縁部方向Ｄｅ）と平行とし、かつ他辺を照明灯具ユニット１５の光軸Ｌ（光軸方向Ｄｌ）と平行としている。このため、車両用灯具１０では、インナーパネル１２の表面２３ａの縁部１２ａに沿って各パターン領域３２を効率良く設けることができ、当該表面２３ａの見栄えをより向上させることができる。
【００４２】
車両用灯具１０では、所定の範囲（実施例では模様形成部３１）に一辺を縁部方向Ｄｅと平行としかつ他辺を光軸方向Ｄｌと平行とした平行四辺形のパターン領域３２を複数設定し、その各パターン領域３２を２つの対角線ｄｌ１、ｄｌ２で分割した４つの区画３３に３種類の各線状部３４（３４１、３４２、３４３）を設けて模様３０を形成している。このため、車両用灯具１０では、従来の複数の突条部を並列して設けること（所謂縦目ローレット）や、凹凸を一様に設けること（所謂梨地）とは全く異なる新しい模様３０をインナーパネル１２の表面（表面２３ａ）に設けることができ、見栄えや商品性を向上させることができる。
【００４３】
したがって、本発明に係る実施例の車両用灯具１０では、肉厚差に拘わらずインナーパネル１２の表面２３ａにムラが生じることが防止できる。
【００４４】
なお、上記した実施例では、本発明に係る車両用灯具の一例としての車両用灯具１０について説明したが、一端に開口部が設けられたランプハウジングと、前記開口部に嵌め込まれるアウターレンズと、前記ランプハウジングと前記アウターレンズとにより形成された灯室に設けられるインナーパネルと、を備え、前記インナーパネルでは、前記アウターレンズを通して見える表面の所定の範囲に複数のパターン領域が並べて形成され、前記各パターン領域は、複数の区画に分割され、前記各区画では、同一方向に伸びる線状部が並列して設けられ、前記各パターン領域は、第１方向に伸びる前記線状部が設けられた前記区画と、前記第１方向とは異なる第２方向に伸びる前記線状部が設けられた前記区画と、を有することを特徴とする車両用灯具であればよく、上記した実施例の構成に限定されるものではない。
【００４５】
また、上記した実施例では、各パターン領域３２において、各区画３３に設ける各線状部３４の伸びる方向を３つ設定している、すなわち方向の異なる３種類の各線状部３４（３４１、３４２、３４３）を設けている。しかしながら、細かい範囲の各パターン領域３２内で見え方を変化させるものであればよく、上記した実施例の構成に限定されるものではない。その他の一例として、各区画３３に設ける各線状部３４の伸びる方向を２つ設定した、すなわち方向の異なる２種類の各線状部３４（３４１、３４２）を設けた各パターン領域３２Ａを有する模様３０Ａを図９に示す。その図９の各パターン領域３２Ａでは、第１区画３３１と第４区画３３４とに第１方向Ｄ１に伸びる各線状部３４１を設け、第２区画３３２と第３区画３３３とに第２方向Ｄ２に伸びる各線状部３４２を設けている。この各パターン領域３２Ａでは、対角線ｄｌ１を挟んで隣接する第１区画３３１と第２区画３３２との各線状部３４（３４１、３４２）の伸びる方向が異なるとともに、同じく対角線ｄｌ１を挟んで隣接する第３区画３３３と第４区画３３４との各線状部３４（３４２、３４１）の伸びる方向が異なる。また、各パターン領域３２Ａでは、対角線ｄｌ２を挟んで隣接する第１区画３３１と第３区画３３３との各線状部３４（３４１、３４２）の伸びる方向が異なるとともに、同じく対角線ｄｌ２を挟んで隣接する第２区画３３２と第４区画３３４との各線状部３４（３４２、３４１）の伸びる方向が異なる。このため、この各パターン領域３２Ａを有する模様３０Ａでは、基本的に上記した模様３０と同様の構成であり、基本的に上記した模様３０と同様の効果を得ることができる。それに加えて、模様３０Ａでは、２種類の各線状部３４（３４１、３４２）を形成するだけであることから、より簡易に形成することができる。なお、図９では、一例を示しているが、各パターン領域３２において、各区画３３に設ける各線状部３４の伸びる方向を２つ設定する、すなわち方向の異なる２種類の各線状部３４（３４１、３４２）を設けるものであれば、いずれの区画３３にいずれの方向を適用してもよく、図９に示す例（その構成）に限定されるものではない。このとき、伸びる方向の異なる２種類の各線状部３４を設ける区画３３を２つずつとすると、各パターン領域３２における見え方に差異が生じる範囲を等しくすることができるので、このようにすることが望ましい。
【００４６】
さらに、上記した実施例では、各パターン領域３２において、各区画３３に設ける各線状部３４の伸びる方向を３つ設定している、すなわち方向の異なる３種類の各線状部３４（３４１、３４２、３４３）を設けている。しかしながら、細かい範囲である各パターン領域３２において見え方を変化させるものであればよく、上記した実施例の構成に限定されるものではない。その他の一例として、各区画３３に設ける各線状部３４の伸びる方向を４つ設定した、すなわち方向の異なる４種類の各線状部３４（３４１、３４２、３４３、３４４）を設けた各パターン領域３２Ｂを有する模様３０Ｂを図１０に示す。その図１０の各パターン領域３２Ｂでは、対角線ｄｌ１が伸びる方向を第４方向Ｄ４とする。そして、各パターン領域３２Ｂでは、第１区画３３１に第１方向Ｄ１に伸びる各線状部３４１を設け、第２区画３３２に第２方向Ｄ２に伸びる各線状部３４２を設け、第３区画３３３に第３方向Ｄ３に伸びる各線状部３４３を設け、第４区画３３４に第４方向Ｄ４に伸びる各線状部３４４を設ける。この各パターン領域３２Ｂでは、全ての区画３３の線状部３４（３４１、３４２、３４３、３４４）の伸びる方向が異なり、両対角線ｄｌ１、対角線ｄｌ２を挟んで隣接する両区画３３の各線状部３４の伸びる方向が異なる。このため、この各パターン領域３２Ｂを有する模様３０Ｂでは、基本的に上記した模様３０と同様の構成であり、基本的に上記した模様３０と同様の効果を得ることができる。それに加えて、模様３０Ｂでは、全ての区画３３の各線状部３４（３４１、３４２、３４３、３４４）の伸びる方向が異なるので、インナーパネル１２に肉厚差が存在して表面２３ａにヒケ等が生じた場合であっても、当該ヒケ等による見え方の変化を、模様３０の各パターン領域３２において４種類（４段階）の態様で見え方が変化している中に紛れさせることができる。これにより、模様３０Ｂでは、ヒケ等による見え方の変化がムラとして視認されることをより確実に防止することができ、表面２３ａにムラが生じることをより確実に防止することができる。なお、図１０では、一例を示しているが、各パターン領域３２において、各区画３３に設ける各線状部３４の伸びる方向を４つ設定する、すなわち方向の異なる４種類の各線状部３４（３４１、３４２、３４３、３４４）を設けるものであれば、いずれの区画３３にいずれの方向を適用してもよく、図１０に示す例（その構成）に限定されるものではない。
【００４７】
上記した実施例では、各パターン領域３２を、一辺がインナーパネル１２（左右伸長部２３）の前後方向後側の縁部１２ａと平行であり、他辺が照明灯具ユニット１５の光軸Ｌに平行であって、４つの各辺の長さが互いに等しい平行四辺形としている。しかしながら、パターン領域３２は、インナーパネル１２の表面（例えば表面２３ａ）の所定の範囲（例えば模様形成部３１）に複数設定するものであればよく、上記した実施例の構成に限定されるものではない。その他の一例として、上記した各パターン領域（３２、３２Ａ、３２Ｂ）とは異なる形状の各パターン領域３２Ｃを有する模様３０Ｃを図１１に示す。その各パターン領域３２Ｃは、上記した実施例と同様に、図１１（ａ）に示すように、互いに等しい形状であって、互いに等しい大きさ寸法としている。そして、各パターン領域３２Ｃは、一方の対角線ｄｌ３がインナーパネル１２（左右伸長部２３）の前後方向後側の縁部１２ａ（縁部方向Ｄｅ）と平行であり、他方の対角線ｄｌ４が照明灯具ユニット１５の光軸Ｌ（光軸方向Ｄｌ）に平行である平行四辺形としている。この各パターン領域３２Ｃでは、図１１（ｂ）に示すように、２つの対角線ｄｌ３、ｄｌ４により、第１区画３３１Ｃ、第２区画３３２Ｃ、第３区画３３３Ｃ、第４区画３３４Ｃの４つの区画３３Ｃに分割している。この模様３０Ｃ（各パターン領域３２Ｃ）では、各区画３３Ｃにおける線状部（図８等の符号３４参照）の設け方は、上記した実施例および各例と同様である。このため、この各パターン領域３２Ｃを有する模様３０Ｃでは、基本的に上記した模様３０と同様の構成であり、基本的に上記した模様３０と同様の効果を得ることができる。それに加えて、模様３０Ｃでは、各パターン領域３２Ｃおよびその各区画３３Ｃの形状が、各パターン領域（３２、３２Ａ、３２Ｂ）およびその各区画３３とは異なるので、違った印象を与えることができ、模様（３０、３０Ａ、３０Ｂ）と併用することで意匠のバリエーションを増やすことができる。なお、図１１では、一例を示しているが、インナーパネル１２の表面（例えば表面２３ａ）の所定の範囲（例えば模様形成部３１）にパターン領域を複数設定するものであれば、各パターン領域の形状や大きさは適宜設定すればよく、図１１に示す例（その構成）に限定されるものではない。
【００４８】
上記した実施例では、各パターン領域３２において、第１区画３３１と第４区画３３４とに第１方向Ｄ１に伸びる各線状部３４１を設け、第２区画３３２に第２方向Ｄ２に伸びる各線状部３４２を設け、第３区画３３３に第３方向Ｄ３に伸びる各線状部３４３を設けている。しかしながら、各パターン領域３２において、各区画３３に設ける各線状部３４の伸びる方向を３つ設定する（方向の異なる３種類の各線状部３４（３４１、３４２、３４３）を設ける）ものであれば、いずれの区画３３にいずれの方向を適用してもよく、上記した実施例の構成に限定されるものではない。
【００４９】
上記した実施例および各例では、各区画３３に設ける各線状部３４の方向（Ｄ１、Ｄ２、Ｄ３、Ｄ４）の組み合わせを示しているが、少なくとも１つの区画３３に第１方向Ｄ１に伸びる各線状部３４１が形成され、他の少なくとも１つの区画３３に第２方向Ｄ２に伸びる各線状部３４２が形成されるものであれば、いずれの区画３３にいずれの方向の各線状部３４を形成するものであってもよく、上記した実施例および各例に限定されるものではない。
【００５０】
上記した実施例および各例では、第１方向Ｄ１を対角線ｄｌ２が伸びる方向とし、第２方向Ｄ２を光軸方向Ｄｌとし、第３方向Ｄ３を縁部方向Ｄｅとし、かつ第４方向Ｄ４を対角線ｄｌ１が伸びる方向としている。しかしながら、第１から第４の各方向は、互いに異なるものであれば、適宜設定すればよく、上記した実施例および各例に限定されるものではない。
【００５１】
上記した実施例および各例では、各パターン領域３２を等しい形状であって等しい大きさとしていたが、互いに異なる形状であって等しい大きさとしてもよく、互いに等しい形状であって異なる大きさとしてもよく、互いに形状と大きさとが異なるものとしてもよく、上記した実施例および各例に限定されるものではない。
【００５２】
上記した実施例では、各区画３３の大きさ寸法や各線状部３４の深さ寸法の一例を示していたが、各区画３３（各パターン領域３２）の大きさ寸法や各線状部３４の深さ寸法は適宜設定すればよく、上記した実施例に限定されるものではない。
【００５３】
上記した実施例および各例では、照明灯具ユニット１５を取り囲むように折り返されたインナーパネル１２（その表面２３ａ）に模様（３０、３０Ａ、３０Ｂ、３０Ｃ）を設けていたが、灯室（１４）に設けられるインナーパネル（１２）の表面（２３ａ）であればよく、上記した実施例および各例に限定されるものではない。
【００５４】
上記した実施例および各例では、アルミ蒸着を施したインナーパネル１２（その表面２３ａ）に模様３０を設けていたが、銀蒸着や塗装等を施したインナーパネル１２（その表面２３ａ）に設けてもよく、表面に何らの加工をしていないインナーパネル１２（その表面２３ａ）に設けてもよく、上記した実施例および各例に限定されるものではない。
【００５５】
上記した実施例では、車両（５０）の前照灯（ヘッドランプ）として用いられる車両用灯具１０を示す。しかしながら、本発明に係る車両用灯具は、灯室（１４）に設けられるインナーパネル（１２）に、所定の範囲に複数設けた各パターン領域３２を複数の区画３３に分割し、その区画３３単位で設ける各線状部３４の伸びる方向を少なくとも２種類設定した模様３０を設けるものであれば、車両に用いる他の車両用灯具であってもよく、上記した実施例の構成に限定されるものではない。
【００５６】
以上、本発明の車両用灯具を実施例に基づき説明してきたが、具体的な構成については実施例に限られるものではなく、本発明の要旨を逸脱しない限り、設計の変更や追加等は許容される。
【符号の説明】
【００５７】
１０（１０Ｒ、１０Ｌ）  車両用灯具
１１  ランプハウジング
１２  インナーパネル
１３  アウターレンズ
１４  灯室
１５  （光源の一例としての）照明灯具ユニット
２１  開口部
２３ａ  表面
３１  （所定の範囲の一例としての）模様形成部
３２、３２Ａ、３２Ｂ、３２Ｃ  パターン領域
３３、３３Ｃ  区画
３４（３４１、３４２、３４３、３４４）  線状部
Ｄ１  第１方向
Ｄ２  第２方向
Ｄ３  第３方向
Ｄ４  第４方向
ｄｌ１、ｄｌ２、ｄｌ３、ｄｌ４  対角線
【図１】
0006519347.tif 000002
【図２】
0006519347.tif 000003
【図３】
0006519347.tif 000004
【図４】
0006519347.tif 000005
【図５】
0006519347.tif 000006
【図６】
0006519347.tif 000007
【図７】
0006519347.tif 000008
【図８】
0006519347.tif 000009
【図９】
0006519347.tif 000010
【図１０】
0006519347.tif 000011
【図１１】
0006519347.tif 000012